(57)【要約】【課題】確実に係止することができると共に、容易に位置決めできる部材係止構造を提供することを課題としている。【解決手段】係止突部３３を有する計器ハウジング（第一部材）１０と、被係止開口２１を有するフィニッシャー（第二部材）１１とを備え、係止突部３３を被係止開口２１に挿入係止することで計器ハウジング１０とフィニッシャー１１とを互いに係止する部材係止構造であって、被係止開口２１は、フィニッシャーから突出する被係止片２０に形成され、被係止片２０は、周面に、突出方向に向かって次第に細くなると共に、先端がテーパー状のリブ部２２Ａ〜２２Ｃを有し、係止突部３３は、被係止片２０が挿入される挿入開口（挿入部）３４の内側に位置し、挿入開口３４の大きさは被係止片２０よりも僅かに小さく形成されている。【選択図】図４
2007149720.tif 000002
【特許請求の範囲】
【請求項１】
係止突部を有する第一部材と、被係止開口を有する第二部材とを備え、前記係止突部を前記被係止開口に挿入係止することで前記第一、第二部材を互いに係止する部材係止構造であって、
前記被係止開口は、前記第二部材から突出する被係止片に形成され、該被係止片は、周面に、突出方向に向かって次第に細くなると共に、先端がテーパー状のリブ部を有し、
前記係止突部は、前記被係止片が挿入される挿入部の内側に位置し、前記挿入部の大きさは前記被係止片よりも僅かに小さく形成されていることを特徴とする部材係止構造。
【発明の詳細な説明】
【技術分野】
【０００１】
本発明は、係止突部を被係止開口に挿入係止することで第一、第二部材を互いに係止する部材係止構造に関するものである。
【背景技術】
【０００２】
従来から、図５（ａ）に示すように、第一部材１に設けた係止ツメ２を第二部材３に設けた被係止開口４内に挿入し、この係止ツメ２の突起を被係止開口４の内周面に係合して第一、第二部材１、３を係止する部材係止構造が知られている（例えば、特許文献１参照）。
【０００３】
この部材係止構造では、図５（ｂ）に示すように、係止ツメ２の両側部に形成した位置決めスペース５内に、被係止開口４の両側部から突出する位置決め突起６を嵌合することで位置決めするようになっている。
【特許文献１】特開２００４−７１６９７号公報
【発明の開示】
【発明が解決しようとする課題】
【０００４】
ところで、上述の部材係止構造では、位置決めスペース５内に位置決め突起６を嵌合することで第一、第二部材１、３の位置決めを行うので、係止ツメ２の係合が不完全であると、位置決め突起６を嵌合させることができず、第一、第二部材１、３の位置決めができなくなるおそれがあった。
【０００５】
また、係止ツメ２は被係止開口４内に挿入する際に案内されないので、係止ツメ２の係合不完全が生じやすくなっていた。
【０００６】
そこで、この発明は、確実に係止することができると共に、容易に位置決めできる部材係止構造を提供することを課題としている。
【課題を解決するための手段】
【０００７】
上記課題を解決するために、請求項１に記載の発明は、係止突部を有する第一部材と、被係止開口を有する第二部材とを備え、前記係止突部を前記被係止開口に挿入係止することで前記第一、第二部材を互いに係止する部材係止構造であって、前記被係止開口は、前記第二部材から突出する被係止片に形成され、該被係止片は、周面に、突出方向に向かって次第に細くなると共に、先端がテーパー状のリブ部を有し、前記係止突部は、前記被係止片が挿入される挿入部の内側に位置し、前記挿入部の大きさは前記被係止片よりも僅かに小さく形成されていることを特徴としている。
【発明の効果】
【０００８】
請求項１の発明によれば、係止突部を被係止開口に挿入係止する際に、被係止開口が形成された被係止片を係止突部が内側に設けられた挿入部内に挿入する。
【０００９】
このとき、被係止片が挿入部の内面で抑制された状態となるので、係止突部と被係止開口との位置ズレが生じずに係合不完全を防止することができ、確実に係止することが可能となる。
【００１０】
また、挿入部の大きさが被係止片よりも僅かに小さく形成されているので、被係止片をこの挿入部に挿入すると、突出方向に向かって次第に細くなっているリブ部が潰れた状態で圧入されることとなる。
【００１１】
そのため、このリブ部が挿入部内に圧接し、被係止片のガタツキを防止して容易に位置決めを行なうことができる。
【発明を実施するための最良の形態】
【００１２】
次に、本発明に関わる部材係止構造を実施するための最良の形態を図面に基づいて説明する。
【００１３】
図１に示すように、例えば自動車等の車両の車室内に設けられる計器ハウジング１０（第一部材）の周縁部には、フィニッシャー１１（第二部材）が取り付けられるようになっている。
【００１４】
このフィニッシャー１１は、環状のリング部１２と、このリング部１２の裏面側（計器ハウジング１０側）に突出した一対の被係止片２０、２０、一対の係止ツメ１３、１３、一対の第二被係止片１４、１４とを有している。
【００１５】
一対の被係止片２０、２０は、リング部１２の中間部に形成されており、互いに対向する位置に設けられている。また、一対の係止ツメ１３、１３は、リング部１２の上部に並んで設けられ、一対の第二被係止片１４、１４は、リング部１２の下部に互いに対向する位置に設けられている。
【００１６】
なお、ここで、フィニッシャー１１を計器ハウジング１０に組み付けた際に、計器ハウジング１０の上部に位置する部分を「上部」とし、計器ハウジング１０の下部に位置する部分を「下部」とする。
【００１７】
被係止片２０は、図２に示すように、先端角部が丸みを帯びた先細り形状を呈しており、ほぼ中央に被係止開口２１が貫通形成されている。また、この被係止片２０の両側面２０ａ、２０ｂ及び外面２０ｃには、それぞれ第一側面リブ部２２Ａ、第二側面リブ部２２Ｂ、外側面リブ部２２Ｃが設けられている。
【００１８】
被係止開口２１は、被係止片２０の基端部側が先端部側よりも幅広にされた正面視台形形状を呈している（図４（ａ）参照）。
【００１９】
各リブ部２２Ａ〜２２Ｃは、被係止片２０の基端部側から先端部側に向かって延在されており、被係止片２０からの突出方向に向かって次第に細くなると共に、先端がテーパー状に形成されている。
【００２０】
つまり、これらのリブ部２２Ａ〜２２Ｂは、それぞれ断面が三角形状になっており、突出方向の先端部の高さ（被係止片２０からの突出量）が、延在方向の先端部に向かうに連れて次第に小さくなるように形成されている。
【００２１】
そして、一対の係止ツメ１３、１３は、それぞれリング部１２の内側に向かって鉤状に突出するように形成されている。
【００２２】
また、一対の第二被係止片１４、１４は、それぞれ被係止片２０と同方向に突出すると共に、ほぼ中央に被係止開口が形成されている。この第二被係止片１４は、被係止片２０とほぼ同形状であるが、リブ部２２Ａ〜２２Ｃを有していない。
【００２３】
一方、計器ハウジング１０は、ハウジング本体１５と、このハウジング本体１５に形成された多数の貫通孔１６・・・及び突起部１７・・・と、ハウジング本体１５の周縁部に形成されて被係止片２０と係合する一対の係止部３０、３０、係止ツメ１３と係合する一対の係止凹部１８、１８、第二被係止片１４と係合する一対の第二係止部１９、１９とを有している（図１参照）。
【００２４】
係止部３０は、図３に示すように、ハウジング本体１５の側面に形成され且つこのハウジング本体１５の厚み方向に延びる凹溝３１と、この凹溝３１を覆うように架け渡された囲み部３２と、凹溝３１の内側に設けられた係止突部３３とを有している。
【００２５】
凹溝３１は、ハウジング本体１５の側面よりも一段低くなっている底壁面３１Ａと、この底壁面３１Ａの両側からほぼ垂直に立ち上がってハウジング本体１５の側面に連なる一対の側壁面３１Ｂ、３１Ｂとを有している。
【００２６】
この一対の側壁面３１Ｂ、３１Ｂは、被係止片２０と係止部３０とが係合した際に、第一、第二側面リブ部２２Ａ、２２Ｂが当接する。
【００２７】
また、一対の側壁面３１Ｂ、３１Ｂ間、すなわち底壁面３１Ａの幅は、被係止片２０の幅及び第一、第二側面リブ部２２Ａ、２２Ｂの幅の和よりも僅かに小さいものとなっている。
【００２８】
囲み部３２は凹溝３１の上部に設けられ、凹溝３１の底壁面３１Ａに対向する内壁面３２Ａを有している。また、この囲み部３２と凹溝３１とによって被係止片２０を挿入する挿入開口（挿入部）３４が形成されている。なお、この挿入開口３４の周縁部となる囲み部３２の上面には、テーパー部３２ａが設けられている。
【００２９】
この内壁面３２Ａは、被係止片２０と係止部３０とが係合した際に、外側面リブ部２２Ｃが当接する。
【００３０】
また、凹溝３１の底壁面３１Ａから囲み部３２の内壁面３２Ａまでの距離、すなわち側壁面３１Ｂの高さは、被係止片２０及び外側面リブ部２２Ｃの高さの和よりも僅かに小さいものとなっている。
【００３１】
係止突部３３は、凹溝３１の底壁面３１Ａに設けられており、挿入部である挿入開口３４の内側に位置している。さらに、この係止突部３３は、囲み部３２と重ならない位置に設けられている（図４（ａ）参照）。
【００３２】
この係止突部３３は、底壁面３１Ａから下方に向かって次第に突出する傾斜面３３ａと、この底壁面３１Ａからほぼ垂直に立ち上がって傾斜面３３ａの先端に連なる当接面３３ｂとを有している。
【００３３】
そして、一対の係止凹部１８、１８は、それぞれ内側に係止ツメ１３が係合する段部を有し、一対の第二係止部１９、１９は、係止部３０と同様にそれぞれ凹溝、囲み部、係止突部を有している。
【００３４】
なお、この第二係止部１９は、係止部３０とほぼ同形状の挿入開口を有しているが、リブ部２２Ａ〜２２Ｃを有していない第二被係止片１４が嵌合可能となるように、係止部３０よりも小さい挿入開口となっている。
【００３５】
次に、本発明に係る部材係止構造の作用について説明する。
【００３６】
第一部材である計器ハウジング１０に第二部材であるフィニッシャー１１を取り付けるには、まずフィニッシャー１１のリング部１２を計器ハウジング１０の所定位置に対向させる。
【００３７】
そして、リング部１２を傾けて一対の係止ツメ１３、１３をそれぞれ一対の係止凹部１８、１８に引っ掛けた後に、この係止ツメ１３、１３及び係止凹部１８、１８を中心にリング部１２を回動させる。
【００３８】
これにより、一対の被係止片２０、２０が係止部３０の挿入開口３４に挿入され、一対の第二被係止片１４、１４が第二係止部１９、１９の挿入開口に挿入される。
【００３９】
このとき、被係止片２０の先端角部が丸みを帯びた先細り形状をしていると共に、囲み部３２の上面にテーパー部３２ａが形成されているので、被係止片２０を容易に挿入することができる。なお、第二被係止片１４についても同様に、容易に挿入することができる。
【００４０】
そして、この被係止片２０は、凹溝３１の底壁面３１Ａに沿って挿入されていき、先端部が係止突部３３の傾斜面３３ａに当接することで次第に外側方向に撓むこととなる。
【００４１】
なお、ここで、係止突部３３が囲み部３２と重ならない位置に設けられているので、被係止片２０が撓んでも囲み部３２に接触せず、この被係止片２０の撓みが阻害されることはない。
【００４２】
そして、被係止開口２１と係止突部３３とが対向すると、被係止片２０が自身の弾性力で復元し、係止突部３３が被係止開口２１内に挿入される。これにより、被係止開口２１の内周面が係止突部３３の当接面３３ｂに当接し、係止突部３３が被係止開口２１に係合することとなる（図４（ａ）、（ｂ）参照）。
【００４３】
このように、係止突部３３が被係止開口２１に挿入係止する際に、被係止開口２１が形成された被係止片２０が挿入開口３４によって抑制されて位置ズレが生じず、係止突部３３と被係止開口２１との係合不完全を防止することができる。
【００４４】
これにより、係止突部３３と被係止開口２１とを確実に挿入係止することが可能となる。
【００４５】
一方、被係止片２０の挿入に伴って、リブ部２２Ａ〜２２Ｃが挿入開口３４内に挿入される。
【００４６】
このとき、各リブ部２２Ａ〜２２Ｃは、それぞれの先端がテーパー状に形成されているので、これらのリブ部２２Ａ〜２２Ｃにより被係止片２０が挿入開口３４の内側に向かって案内されることとなる。
【００４７】
これにより、被係止片２０をさらに容易に挿入開口３４内に挿入でき、係止突部３３と被係止開口２１とを容易且つ確実に係止することができる。そして、不完全な係止を防止することが可能となる。
【００４８】
また、ここで一対の側壁面３１Ｂ、３１Ｂ間が、被係止片２０及び第一、第二側面リブ部２２Ａ、２２Ｂの幅の和よりも僅かに小さいものとなっている。そのため、被係止片２０の挿入に伴って第一、第二側面リブ部２２Ａ、２２Ｂが、凹溝３１の側壁面３１Ｂ、３１Ｂに圧接しながら挿入され、挿入開口３４内に圧入される。
【００４９】
このとき、第一、第二側面リブ部２２Ａ、２２Ｂが突出方向に向かって次第に細くなっているので、図４（ａ）に示すように、各リブ部２２Ａ、２２Ｂが側壁面３１Ｂ、３１Ｂに圧接した際にこの突出方向の先端部が潰れた状態に変形する。
【００５０】
これにより、被係止片２０の側面２０ａ、２０ｂ方向のガタツキが防止され、フィニッシャー１１の上下方向の位置決めを確実に行なうことができる。
【００５１】
さらに、側壁面３１Ｂの高さが、被係止片２０及び外側面リブ部２２Ｃの高さの和よりも僅かに小さいものとなっている。そのため、被係止片２０の挿入に伴って外側面リブ部２２Ｃが、囲み部３２の内壁面３２Ａに圧接しながら挿入され、挿入開口３４内に圧入される。
【００５２】
このとき、外側面リブ部２２Ｃが突出方向に向かって次第に細くなっているので、図４（ｂ）に示すように、外側面リブ部２２Ｃが内壁面３２Ａに圧接した際にこの突出方向の先端部が潰れた状態に変形する。
【００５３】
これにより、被係止片２０の外面２０ｃ方向のガタツキが防止され、フィニッシャー１１の左右方向の位置決めを確実に行なうことができる。
【００５４】
また、このように被係止開口２１が形成された被係止片２０によって位置決めができるので、ほかに位置決め構造が不要となり、部材係止構造を簡単なものにすることができる。そして、ほかに位置決め構造が不要となることで、スペースを有効に利用することが可能となる。
【００５５】
さらに、被係止片２０を係止部３０の挿入開口３４内に挿入することでフィニッシャー１１の固定と位置決めとを同時に行なうことができる。そのため作業性を向上させることが可能となる。
【００５６】
また、ここでは、被係止片２０の両側面２０ａ、２０ｂ及び外面２０ｃにそれぞれ第一側面リブ部２２Ａ、第二側面リブ部２２Ｂ、外側面リブ部２２Ｃが設けられている。これにより、フィニッシャー１１の上下方向及び左右方向のいずれの方向の位置決めを行なうことができる。
【００５７】
以上、この発明にかかる実施の形態を図面により詳述してきたが、具体的な構成は上述の実施の形態に限らない。この発明の要旨を逸脱しない範囲の設計の変更等はこの発明に含まれる。
【００５８】
例えば、上述の実施の形態では、被係止片２０の両側面２０ａ、２０ｂ及び外面２０ｃにそれぞれリブ部２２Ａ〜２２Ｃが設けられているが、いずれか少なくとも一つが設けられていればよい。また、このリブ部は、被係止片２０の内側面に設けられてもよい。
【００５９】
さらに、上述の実施の形態では、第一部材として計器ハウジング１０とし、第二部材としてフィニッシャー１１としているが、これに限らない。例えば、フィニッシャー１１に係止突部を形成し、計器ハウジングに被係止開口を有する被係止片を形成してもよい。
【００６０】
さらに、計器ハウジングをインストルメントパネルに取り付ける際に、この発明の部材係止構造を適用してもよいし、パネル形状の部材同士を係止する場合に適用してもよい。
【図面の簡単な説明】
【００６１】
【図１】この発明に係る部材係止構造を示す斜視図である。
【図２】被係止片を示す斜視図である。
【図３】係止部を示す斜視図である。
【図４】（ａ）は被係止片と係止部とが係止したときの正面図であり、（ｂ）は被係止片と係止部とが係止したときの中央断面図である。
【図５】（ａ）は従来の部材係止構造を示す要部断面図であり、（ｂ）は従来の部材係止構造における位置決め部を示す要部断面図である。
【符号の説明】
【００６２】
１０              第一部材（計器ハウジング）
１１              第二部材（フィニッシャー）
２０              被係止片
２１              被係止開口
２２Ａ〜２２Ｃ    リブ部
３３              係止突部
３４              挿入開口
【図１】
2007149720.tif 000003
【図２】
2007149720.tif 000004
【図３】
2007149720.tif 000005
【図４】
2007149720.tif 000006
【図５】
2007149720.tif 000007